(57)【特許請求の範囲】
【請求項１】
鋼板コンクリート造の床と鋼板コンクリート造の壁との接合構造であって、
前記床は、
互いに上下方向に離間して配置された一対の床側鋼板と、
該一対の床側鋼板の間に充填された床側コンクリート部と、を備え、
前記壁は、
前記床の端部と接合され一方向に沿って延びる第一壁側鋼板と、該第一壁側鋼板と水平方向に離間して配置され一方向に沿って延びる第二壁側鋼板と、
前記第一壁側鋼板と前記第二壁側鋼板とを前記床側鋼板の高さ位置で連結し、鉛直面に沿うとともに前記一方向に間隔を有して配置された複数の連結鋼板と、
前記第一壁側鋼板と前記第二壁側鋼板との間に、前記連結鋼板の上下方向にわたって充填された壁側コンクリート部と、を備え、
前記第一壁側鋼板には、前記連結鋼板と対応する高さ位置に貫通孔が形成され、
前記連結鋼板の前記第一壁側鋼板側の端部は、前記貫通孔に配置され、前記床側鋼板に接合されていることを特徴とする鋼板コンクリート造の接合構造。
【発明の詳細な説明】
【技術分野】
【０００１】
本発明は、鋼板コンクリート造の接合構造に関するものである。
【背景技術】
【０００２】
従来から、構造物の床、壁、柱、梁等の躯体の外殻を鋼板で形成して、その内部にコンクリートを充填し、鋼板の内面に設けられた複数のスタッドを介して、鋼板とコンクリートとを構造的に一体化した鋼板コンクリート造（ＳＣ構造）が知られている。このような鋼板コンクリート構造は、大断面の頑強な躯体を効率的に構築できるため、原子力施設の建屋等に普及しつつある（下記特許文献１参照）。
【０００３】
また、鋼板コンクリート造の床と鋼板コンクリート造の壁との接合部分では、接合強度を確保するために、壁内にダイアフラム鋼板を水平面に沿って配置し、ダイアフラム鋼板の端部が壁の外面を形成する鋼板に剛接合された構成が知られている。このダイアフラム鋼板には、コンクリート打設用の開口が所定の位置に形成されていて、打設されたコンクリートは当該開口を通り、ダイアフラム鋼板の下方に充填される。
【先行技術文献】
【特許文献】
【０００４】
【特許文献１】特開２０１４−８４６９２号公報
【発明の概要】
【発明が解決しようとする課題】
【０００５】
しかしながら、上記のように壁内に水平面に沿ってダイアフラム鋼板が配置される構成では、ダイアフラム鋼板の下方では、コンクリート打設用の開口からの位置によりコンクリートの充填性にムラが生じる虞がある。具体的には、コンクリート打設用の開口の直下ではコンクリートが十分に充填されるが、コンクリート打設用の開口から離間した位置ではコンクリートの充填が不十分になる虞がある。
さらに、水平面に沿って配置されたダイアフラム鋼板により、壁内のコンクリートの連続性が上下に分断されるため、耐震壁としての面内せん断力の伝達機能が低下する虞がある。
【０００６】
そこで、本発明は、上記事情に鑑みてなされたものであり、壁内のコンクリートの充填性を良好且つ連続性を確保することができる鋼板コンクリート造の接合構造を提供する。
【課題を解決するための手段】
【０００７】
上記目的を達成するために、本発明は以下の手段を採用している。
すなわち、本発明に係る鋼板コンクリート造の接合構造は、鋼板コンクリート造の床と鋼板コンクリート造の壁との接合構造であって、前記床は、互いに上下方向に離間して配置された一対の床側鋼板と、該一対の床側鋼板の間に充填された床側コンクリート部と、を備え、前記壁は、前記床の端部と接合され一方向に沿って延びる第一壁側鋼板と、該第一壁側鋼板と水平方向に離間して配置され一方向に沿って延びる第二壁側鋼板と、前記第一壁側鋼板と前記第二壁側鋼板とを前記床側鋼板の高さ位置で連結し、鉛直面に沿うとともに前記一方向に間隔を有して配置された複数の連結鋼板と、前記第一壁側鋼板と前記第二壁側鋼板との間に、前記連結鋼板の上下方向にわたって充填された壁側コンクリート部と、を備え、前記第一壁側鋼板には、前記連結鋼板と対応する高さ位置に貫通孔が形成され、前記連結鋼板の前記第一壁側鋼板側の端部は、前記貫通孔に配置され、前記床側鋼板に接合されていることを特徴とする。
【０００８】
このように構成された鋼板コンクリート造の接合構造では、壁側コンクリート部を構成するコンクリートは、複数の連結鋼板の間の空間を通過して、第一壁側鋼板と第二壁側鋼板との間で充填される。連結鋼板は、鉛直面に沿って、一方向に間隔を有して配置されている。よって、複数の連結鋼板の間に形成される空間が大きく確保され、コンクリートの充填箇所が一方向に沿って確保されるため、壁内のコンクリートの充填性を良好とすることできる。
また、複数の連結鋼板の間に形成される空間を介して、壁側コンクリート部の連結鋼板の上方に位置する部分と壁側コンクリート部の連結鋼板の下方に位置する部分とが連通される。よって、壁側コンクリート部の連続性を確保することができる。
また、第一壁側鋼板には、連結鋼板と対応する高さ位置に貫通孔が形成され、連結鋼板の第一壁側鋼板側の端部は、貫通孔に配置され、床側鋼板に接合されている。よって、床側鋼板に生じる引張力を連結鋼板に伝達することができる。
【発明の効果】
【００１１】
本発明に係る鋼板コンクリート造の接合構造によれば、壁内のコンクリートの充填性を良好且つ連続性を確保することができる。
【図面の簡単な説明】
【００１２】
【図１】本発明の一実施形態の鋼板コンクリート造の接合構造を示す模式的な平面図である。
【図２】図１のＡ−Ａにおける模式的な断面図である。
【図３】（ａ）本発明の一実施形態の変形例の図１のＡ−Ａに相当する箇所の模式的な断面図、（ｂ）（ａ）の部分拡大図である。
【発明を実施するための形態】
【００１３】
本発明の一実施形態に係る鋼板コンクリート造の接合構造について、図面を用いて説明する。
図１は、本発明の一実施形態の鋼板コンクリート造の接合構造を示す平面図である。図２は、図１のＡ−Ａにおける模式的な断面図である。なお、図１において、壁側コンクリート部の図示を省略している。
図１及び図２に示すように、鋼板コンクリート造の床１０と、鋼板コンクリート造の壁２０とが、接合構造１により接合されている。
【００１４】
床１０は、上面を形成する上部床鋼板（床側鋼板）１１と、上部床鋼板１１の下方に配置され床１０の下面を形成する下部床鋼板（床側鋼板）１２と、上部床鋼板１１と下部床鋼板１２との間に充填された床コンクリート部（床側コンクリート部）１３と、有している。
【００１５】
上部床鋼板１１及び下部床鋼板１２は、それぞれ平板状に形成され、水平面に沿って配置されている。上部床鋼板１１には、鉛直方向に貫通する開口Ｈが複数形成されている。開口Ｈは、床コンクリート部１３のコンクリートを打設するためのものである。コンクリート打設後に、開口Ｈの形状に対応した形状の開口板１４を溶接することで、開口Ｈは閉塞される。
【００１６】
上部床鋼板１１の下面には、下方に向かって延びるスタッドＳが複数設けられている。下部床鋼板１２の上面には、上方に向かって延びるスタッドＳが複数設けられている。
【００１７】
壁２０は、床１０の端部２０Ｅに沿って配置され、所定の水平方向（一方向）に延びるように構成されている。本実施形態では、床１０の二辺の端部２０Ｅにそれぞれ沿って壁２０が配置されている。
【００１８】
壁２０は、床１０の端部２０Ｅと接合される内側壁鋼板（第一壁側鋼板）２１と、内側壁鋼板２１と水平方向に離間して配置された外側壁鋼板（第二壁側鋼板）２２と、内側壁鋼板２１と外側壁鋼板２２との間に充填された壁コンクリート部（壁側コンクリート部）２３と、有している。
【００１９】
内側壁鋼板２１及び外側壁鋼板２２は、それぞれ平板状に形成され、鉛直面に沿って配置されている。
【００２０】
内側壁鋼板２１の床１０側を向く面には、床１０側に向かって延びるスタッドＳが複数設けられている。上部床鋼板１１及び下部床鋼板１２に設けられたスタッドＳ、及び内側壁鋼板２の床１０側を向く面に設けられたスタッドＳを介して、床コンクリート部１３は上部床鋼板１１、下部床鋼板１２及び内側壁鋼板２１と一体化されている。
【００２１】
内側壁鋼板２１の外側壁鋼板２２側を向く面には、外側壁鋼板２２側に向かって延びるスタッドＳが複数設けられている。外側壁鋼板２２の内側壁鋼板２１側を向く面には、内側壁鋼板２１側に向かって延びるスタッドＳが複数設けられている。これらスタッドＳを介して、壁コンクリート部２３は内側壁鋼板２１及び外側壁鋼板２２と一体化されている。
【００２２】
内側壁鋼板２１には、上部床鋼板１１及び下部床鋼板１２が配置される高さ位置に、板厚方向に貫通する挿通孔（貫通孔）２１Ｈが形成されている。
【００２３】
内側壁鋼板２１と外側壁鋼板２２とは、鉛直ダイアフラム鋼板（連結鋼板）３０により連結されている。
【００２４】
鉛直ダイアフラム鋼板３０は、上部床鋼板１１及び下部床鋼板１２が配置される高さ位置に配置されている。鉛直ダイアフラム鋼板３０は、壁２０の延在方向（所定方向）に沿って、等間隔に複数配置されている。隣り合うダイアフラム鋼板の間の空間部Ｔは、壁コンクリート部２３を構成するコンクリートが充填される際に通過する空間とされている。
【００２５】
鉛直ダイアフラム鋼板３０は、内側壁鋼板２１と外側壁鋼板２２との間に架設され、鉛直面に沿って配置される主板部３１を有している。主板部３１は、板状に形成され、鉛直面に沿って配置されている。
【００２６】
主板部３１の外側壁鋼板２２側の端部３０Ｘは、外側壁鋼板２２に溶接等により接合されている。主板部３１の内側壁鋼板２１側の端部３０Ｙ側は、上部床鋼板１１及び下部床鋼板１２の挿通孔２１Ｈに挿通されている。
【００２７】
鉛直ダイアフラム鋼板３０の端部３０Ｙには、傾斜部３２が形成されている。上部床鋼板１１に沿って配置される鉛直ダイアフラム鋼板３０の傾斜部３２は、下方に向かうにしたがって次第に内側壁鋼板２１に近づくように傾斜している。傾斜部３２の上部は、上部床鋼板１１に接合されている。
【００２８】
下部床鋼板１２に沿って配置される鉛直ダイアフラム鋼板３０の傾斜部３２は、上方に向かうにしたがって次第に内側壁鋼板２１に近づくように傾斜している。傾斜部３２の下部は、下部床鋼板１２に接合されている。
【００２９】
壁コンクリート部２３は、鉛直ダイアフラム鋼板３０の上下方向にわたって充填されている。隣り合うダイアフラム鋼板の間に形成された空間部Ｔを通過したコンクリートが、壁コンクリート部２３におけるダイアフラム鋼板よりも下方に充填される。
【００３０】
このように構成された鋼板コンクリート造の接合構造１では、壁コンクリート部２３を構成するコンクリートは、複数の鉛直ダイアフラム鋼板３０の間の空間部Ｔを通過して、内側壁鋼板２１と外側壁鋼板２２との間で充填される。鉛直ダイアフラム鋼板３０は、鉛直面に沿って、所定方向（壁２０の延在方向）に間隔を有して配置されている。よって、複数の鉛直ダイアフラム鋼板３０の間に形成される空間部Ｔが大きく確保され、コンクリートの充填箇所が壁２０の延在方向に沿って確保されるため、壁２０内のコンクリートの充填性を良好とすることできる。
【００３１】
また、複数の鉛直ダイアフラム鋼板３０の間に形成される空間部Ｔを介して、壁コンクリート部２３の鉛直ダイアフラム鋼板３０の上方に位置する部分と壁コンクリート部２３の鉛直ダイアフラム鋼板３０の下方に位置する部分とが連通される。よって、壁コンクリート部２３の連続性を確保することができる。
【００３２】
また、内側壁鋼板２１には、鉛直ダイアフラム鋼板３０と対応する高さ位置に挿通孔２１Ｈが形成され、鉛直ダイアフラム鋼板３０の内側壁鋼板２１側の端部３０Ｙは、挿通孔２１Ｈに配置され、上部床鋼板１１または下部床鋼板１２に接合されている。よって、上部床鋼板１１または下部床鋼板１２に生じる引張力を鉛直ダイアフラム鋼板３０に伝達することができる。
【００３３】
（変形例）
次に、上記に示す実施形態の変形例について、主に図３を用いて説明する。
以下の変形例において、前述した実施形態で用いた部材と同一の部材には同一の符号を付して、その説明を省略する。
図３は、（ａ）は本発明の一実施形態の変形例の図１のＡ−Ａに相当する箇所の模式的な断面図、（ｂ）（ａ）の部分拡大図である。
図３に示すように、上部床鋼板１１には、下面から下方に突出する複数のリブ１５が設けられている。リブ１５は、床１０の一方の端部２０Ｅ（図１参照。以下同じ。）に平行に複数設けられるとともに、床１０の一方の端部２０Ｅと直交する他方の端部２０Ｅ（図１参照。以下同じ。）に平行に複数設けられている。換言すると、リブ１５は、平面視で格子状に形成されている。平面視において、リブ１５は、開口Ｈと重ならない位置に配置されている。
【００３４】
リブ１５には、板厚方向に貫通する孔１６が形成されている。孔１６には、床コンクリート部１３を構成するコンクリートが充填されている。
【００３５】
このように構成された鋼板コンクリート造の接合構造１では、リブ１５に形成された孔１６にはコンクリートが充填されているため、上部床鋼板１１と床コンクリート部１３とを一体化するためのスタッドとして機能する。また、上部床鋼板１１に設けられたリブ１５により、上部床鋼板１１に生じた引張力が効率的に鉛直ダイアフラム鋼板３０に伝達される。
【００３６】
なお、上述した実施の形態において示した組立手順、あるいは各構成部材の諸形状や組み合わせ等は一例であって、本発明の主旨から逸脱しない範囲において設計要求等に基づき種々変更可能である。
【００３７】
例えば、リブ１５は、上部床鋼板１１に設けられているが、下部床鋼板１２の上面から上方に突出するように設けられていてもよい。あるいは、リブ１５は、上部床鋼板１１（下部床鋼板１２）の端部２０Ｅ側にのみ設けられていてもよい。
【符号の説明】
【００３８】
１…接合構造
１０…床
１１…上部床鋼板（床側鋼板）
１２…下部床鋼板（床側鋼板）
１３…床コンクリート部（床側コンクリート部）
１４…開口板
２０…壁
２１…内側壁鋼板（第一壁側鋼板）
２１Ｈ…挿通孔（貫通孔）
２２…外側壁鋼板（第二壁側鋼板）
２３…壁コンクリート部（壁側コンクリート部）
３０…鉛直ダイアフラム鋼板（連結鋼板）
３１…主板部
３２…傾斜部
Ｈ…開口
Ｓ…スタッド
Ｔ…空間部
【図１】
0006555529.tif 000002
【図２】
0006555529.tif 000003
【図３】
0006555529.tif 000004